(57)【要約】【課題】  収納されたチェーンの点検や修理が容易に行えると共に、チェーンを効率良く収納して装置全体をコンパクトにする水門用開閉装置を提供する。【解決手段】  駆動装置４を構成する被駆動部６の近傍にチェーン収納部１５である一対のＬ字状掛止部材１８を設け、一方、チェーン３に、その長さ方向の所定位置に、一対のＬ字状掛止部材１８に掛止される複数の掛止ピン２５を設けたので、チェーン３は、駆動スプロケット１４に巻回された後、案内ガイド２２に沿ってチェーン収納部１５に案内されると共に、チェーン３の各掛止ピン２５が順次チェーン収納部１５に掛止され、各掛止ピン２５間のチェーン３が略Ｕ字状に吊下されて収納される。これにより、チェーン３の点検や修理を容易に行うことができ、駆動スプロケット１４の下方にチェーン３の収納用スペースを設ける必要なく、装置全体をコンパクトにできる。【選択図】        図２
2005188058.tif 000002
【特許請求の範囲】
【請求項１】
水門を開閉する扉体の上部にチェーンが接続され、このチェーンに係合する駆動装置の駆動スプロケットを設け、該駆動スプロケットの回転により前記チェーンと共に前記扉体を昇降させる水門用開閉装置において、
前記駆動装置の近傍に、前記チェーンを収納するチェーン収納部を設け、該チェーン収納部は、前記チェーンを掛止する掛止片を有し、一方、前記チェーンには、その長さ方向に所定の間隔をおいて複数の掛止ピンが設けられ、この掛止ピンは、前記チェーン収納部の掛止片に掛止されるべく前記チェーンの左右端からそれぞれその先端部が互いに接近するように突設させたものであることを特徴とする水門用開閉装置。
【発明の詳細な説明】
【技術分野】
【０００１】
本発明は、水門を開閉するために設けた水門用開閉装置である。
【背景技術】
【０００２】
河川に通じる水路には水門が設置され、水門用開閉装置の扉体の昇降によって水門を開閉するようになっている。従来の水門用開閉装置として、例えば、特許文献１には、堰柱の上端間に掛け渡された連結桁上にスプロケットを設置し、このスプロケットに巻掛けられたチェーンは、その一端が門扉の上端部に接続されると共に、他端にカウンターバランスが接続され、また、連結桁上にはスプロケットの駆動軸に接続される減速機が設置され、この減速機を作動させるハンドルを回転して、チェーンを介して門扉を昇降させることが開示されている。
【０００３】
しかしながら、上述した特許文献１の発明のように、チェーンの他端に門扉の重量の約１／２の重量を有したカウンターバランスが接続されているとすると、門扉を上昇させる際の駆動力は低減できるが、門扉に加えカウンターバランスをもスプロケットや連結桁等によって吊下しなければならないため、これらスプロケットや連結桁等に単純に約１．５倍の強度が必要となり、装置全体が大型化すると共に、土木構造物等の施工コストが増加し、トータルコストが増加する懸念があった。そのうえ、門扉の昇降に伴って、カウンターバランスも上下に移動することになり景観を損ねていた。
【０００４】
そこで、上述した問題を解決するための従来技術として特許文献２には、扉体駆動用のチェーンが巻掛けられたスプロケットの下方一側に、外側に向って下方傾斜したチェーンの回収部が設けられ、この回収部はチェーンの幅よりやや広い間隔を有する一対の平行な掛支部材からなり、チェーンの所定位置には、この掛支部材で掛支され、チェーンを吊下掛支する掛支ピンが外方突設される水門が開示されており、土木構造物等の施工コストを低減しつつ、チェーンを効率良く収納するようにしている。
【０００５】
【特許文献１】特開昭５９−３８４１０号公報
【特許文献２】特開平９−３１９４９号公報
【発明の開示】
【発明が解決しようとする課題】
【０００６】
しかしながら、特許文献２の発明では、チェーンをスプロケットの下方一側に回収するため、チェーンの点検や修理を行うことが容易でなく、さらにスプロケットの下方に、回収されるチェーンのための広いスペースを確保しなければならず、設置条件が制約される場合があり実用的ではない。また、この特許文献２の発明では、チェーンをスプロケットの下方一側に回収するために、構造枠体状のピアに設けられるチェーンの挿通口を大きく設ける必要があり、ピアの強度が不足する虞がある。さらに、チェーンには、その両端から掛支ピンが外方に突設されているために、掛止ピンが障害物に干渉しやすくなると共に、チェーンが巻回されるスプロケットを収納する駆動装置のハウジング等を大きく形成する必要があり効率的ではない。
【０００７】
本発明は、かかる点に鑑みてなされたものであり、収納されたチェーンの点検や修理を容易に行えると共に、チェーンを効率良く収納して装置全体をコンパクトにする水門用開閉装置を提供することを目的とする。
【課題を解決するための手段】
【０００８】
本発明は、上記課題を解決するための手段として、請求項１に記載した発明は、水門を開閉する扉体の上部にチェーンが接続され、このチェーンに係合する駆動装置の駆動スプロケットを設け、該駆動スプロケットの回転により前記チェーンと共に前記扉体を昇降させる水門用開閉装置において、前記駆動装置の近傍に、前記チェーンを収納するチェーン収納部を設け、該チェーン収納部は、前記チェーンを掛止する掛止片を有し、一方、前記チェーンには、その長さ方向に所定の間隔をおいて複数の掛止ピンが設けられ、この掛止ピンは、前記チェーン収納部の掛止片に掛止されるべく前記チェーンの左右端からそれぞれその先端部が互いに接近するように突設させたものであることを特徴とするものである。
このように構成することにより、駆動スプロケットにより巻き上げられたチェーンは、駆動装置の近傍に設けたチェーン収納部に案内されて、チェーンに所定間隔おいて複数設けた掛止ピンが、チェーン収納部の掛止片に順次掛止されるので、チェーンは、チェーン収納部に多数のＵ字状の吊下状態を形成しながら吊下される。また、チェーン収納部を駆動装置の近傍に設けたので、操作台に設けられるチェーンの挿通口をチェーンが１本挿通できる程度の大きさに形成でき操作台の強度低下を防ぐことができる。さらに、チェーンの長さ方向の所定位置に、掛止ピンをチェーンの左右端からそれぞれその先端部が互いに接近するように突設させているので、障害物との干渉を避けることができると共に、駆動スプロケットを収納する駆動装置のハウジング等をコンパクトにすることができる。
【発明の効果】
【０００９】
本発明の水門用開閉装置によれば、チェーン収納部を駆動装置の近傍に設けたので、チェーン収納部に収納されたチェーンの点検や修理を容易に行うことができ、駆動スプロケットの下方にチェーン収納用の広いスペースを設ける必要がないので、設置条件が制約されることがなく実用的である。また、チェーンに設けた掛止ピンを、チェーンの左右端からそれぞれその先端部が互いに接近するように突設させているので、掛止ピンが障害物に干渉にする虞がなく、駆動スプロケットを収納する駆動装置のハウジング等をコンパクトにでき、装置全体を小型化にすることができる。
【発明を実施するための最良の形態】
【００１０】
以下、本発明を実施するための最良の形態を図１〜図４に基いて詳細に説明する。
本発明の実施の形態に係る水門用開閉装置１は、図１及び図２に示すように、水門を開閉する扉体２と、一端が扉体２の上部に接続されるチェーン３と、扉体２を昇降させるためにチェーン３に駆動力を伝達する駆動装置４と、この駆動装置４を構成する各被駆動部６の駆動スプロケット１４の下流側で、その上方に配設されるチェーン収納部１５とから概略構成されている。
【００１１】
水門には、図１に示すように、水門を開閉するための扉体２が配設されており、この扉体２の上部の両端には、チェーン３の一端が吊金具９を介してそれぞれ固定されている。
水門の両岸には、門柱１０がそれぞれ立設され、これらの門柱１０の上部には、操作台１２が掛け渡されている。この操作台１２に駆動装置４が設置され、この駆動装置４を囲うように操作室８が建てられている。
また、扉体２の両端でその下方には、各２個ずつローラ２ａが装着されると共に、両側の門柱１０にはそれぞれ戸当り１１が設けられ、扉体２は各ローラ２ａが戸当り１１の前面を転がりスムーズに昇降するようになっている。
【００１２】
駆動装置４は、回転駆動力を発生する電動機を備えた駆動部５と、この駆動部５から左右に延設される連結軸７に連結され、駆動部５からの回転駆動力が伝達される各被駆動部６とから構成されている。各被駆動部６は、操作台１２上に設けた架台１３に載置されている。
各被駆動部６には、図２に示すように、駆動部５からの回転駆動力が連結軸７を介して伝達される被駆動軸１９が配設され、この被駆動軸１９に駆動スプロケット１４が固定されている。この駆動スプロケット１４の下流側で、その下方にチェーン３を案内する案内ローラ２０が架台１３に支持されている。また、各被駆動部６の下方の操作台１２には、チェーン３が１本挿通できる程度の大きさの挿通口１２ａがそれぞれ設けられている。
【００１３】
チェーン収納部１５は、図２に示すように、操作室８の天井に略斜め下方に傾斜するように、複数の吊下部材２１を介して吊下されている。チェーン収納部１５は、図３（ｃ）、（ｄ）に示すように、鉛直板部１６と水平板部（掛止片）１７とからなるＬ字状掛止部材１８を、その鉛直板部１６が対向するように配設して構成されている。また、一対のＬ字状掛止部材１８が配設された際、一方の水平板部１７の端部から他方の水平板部１７の端部までの長さＷは、チェーン３の左右幅の長さＷ’よりも短く設定されている。
また、図２に示すように、チェーン収納部１５の上流端には、案内ローラ２０からのチェーン３をチェーン収納部１５に案内する案内ガイド２２が配設されている。この案内ガイド２２は、図２及び図３（ｂ）に示すように、チェーン３をチェーン収納部１５に案内する適宜の湾曲部を有した底板部２２ａと、この底板部２２ａの両端に立設する側板部２２ｂとから構成されている。
【００１４】
なお、チェーン収納部１５は、一対のＬ字状掛止部材１８を、それぞれの鉛直板部１６が対向するように配設して構成される形態を説明したが、図４に示すように、鉛直板部１６’と水平板部と１７’とからなるＴ字状掛止部材として構成してもよい。
【００１５】
チェーン３は、図２及び図３（ａ）に示すように、左右に隣接する連結コマ３ａがピン３ｂで連結され連結コマ列３ａ’が形成されると共に、この連結コマ列３ａ’がピン３ｂで上下に連結されて構成されている。また、チェーン３には、図２及び図３（ｂ）、（ｃ）に示すように、その長さ方向に所定の間隔をおいて掛止ピン２５が設けられている。この掛止ピン２５は、チェーン３の左右端からそれぞれその先端部が互いに接近するように突設させたものである。また、各掛止ピン２５は、Ｌ字状掛止部材１８の水平板部１７に掛止された状態で、その先端が鉛直板部１６に当接しないように、その長さが設定されている。さらに、チェーン３の他端には、図３（ｄ）に示すように、左右に突設されたピン３ｂにウエイト２７がそれぞれ固着されると共に、掛止ピン２５が設けられている。
また、Ｌ字状掛止部材１８の下流端には、制止板２８が設けられており、チェーン３の他端に取付けた掛止ピン２５の移動を制止するようになっている。
そして、図１及び図２に示すように、チェーン３は、その一端が扉体２の上部に接続されると共に、その中間部が駆動スプロケット１４及び案内ローラ２０に巻回され、その他端がチェーン収納部１５の上流端から下流端の間に配置される。
【００１６】
次に、本発明の実施の形態に係る水門用開閉装置１の作用を図１〜図３に基いて説明する。
まず、扉体２を上昇させる時には、駆動部５からの回転駆動力が各連結軸７を介して各被駆動部６に伝達され、各被駆動部６の駆動スプロケット１４が時計回り方向に回転して、チェーン３と共に扉体２を上昇させる。
【００１７】
この時、チェーン３は、駆動スプロケット１４の回転（時計回り方向）により回転移動し、案内ローラ２０によって上方に案内された後、案内ガイド２２に沿ってチェーン収納部１５に導かれる。すると、まずチェーン３の他端に設けた掛止ピン２５が、チェーン収納部１５である一対のＬ字状掛止部材１８の各水平板部１７の上面を、ウエイト２７の荷重により傾斜に沿って下流側に移動して、一対のＬ字状掛止部材１８の下流端に設けた各制止板２８によって制止される。次に、チェーン３の掛止ピン２５が設けられていない部位が案内され、その部位は一対のＬ字状掛止部材１８の各水平板部１７に掛止されないために、案内ガイド２２の下流端から下方にＵ字状に垂れ下がるようにして降下する。その後、次の掛止ピン２５が案内されてくると、掛止ピン２５が一対のＬ字状掛止部材１８の各水平板部１７上に掛止されると共に下流側に移動して、各掛止ピン２５間のチェーン３が略Ｕ字状に吊下される。
【００１８】
そして、上述した動作が繰り返されると、チェーン３に設けた各掛止ピン２５が、順次、一対のＬ字状掛止部材１８の各水平板部１７上に掛止されて、各水平板部１７上を上流側から下流側に移動して下流端に順次整列すると共に、各掛止ピン２５間のチェーン３がそれぞれ略Ｕ字状に吊下されて整列することになる。
なお、扉体２の上昇時、チェーン３の他端に設けた掛止ピン２５が、一対のＬ字状掛止部材１８の各水平板部１７上を下流側に移動する形態を説明したが、チェーン３の他端にウエイト２７、及び掛止ピン２５を設けず、予めチェーン３の他端を一対のＬ字状掛止部材１８の下流端に固定しておいても、上述した作用と同様の作用を得ることができる。
【００１９】
次に、扉体２を降下させる時には、駆動部５からの回転駆動力が各連結軸７を介して各被駆動部６に伝達され、各被駆動部６の駆動スプロケット１４が反時計回り方向に回転して、チェーン３と共に扉体２を降下させる。なお、扉体２が自重で降下する場合には、駆動装置４は起動されない。
この時、チェーン３は、駆動スプロケット１４の回転に沿って反時計回り方向に巻回されることになるが、チェーン３は何の支障もなく、案内ガイド２２に沿って下方に案内され、案内ローラ２０を介して駆動スプロケット１４に巻回される。
【００２０】
以上説明したように、本発明の実施の形態に係る水門用開閉装置１によれば、各被駆動部６の駆動スプロケット１４の下流側で、その上方にチェーン収納部１５である一対のＬ字状掛止部材１８を設け、一方、チェーン３には、その長さ方向の所定位置に一対のＬ字状掛止部材１８に掛止される掛止ピン２５が設けられ、この掛止ピン２５は、チェーン３の左右端からそれぞれその先端部が互いに接近するように突設させたものであるので、扉体２と共に上昇するチェーン３の他端側は、駆動スプロケット１４に巻回された後、案内ガイド２２に沿って一対のＬ字状掛止部材１８に案内されると共に、チェーン３に設けた掛止ピン２５が、順次一対のＬ字状掛止部材１８の各水平板部１７に掛止されて、各掛止ピン２５間のチェーン３がそれぞれ略Ｕ字状に吊下されて整列するようになる。
【００２１】
このように、チェーン３を、各被駆動部６の駆動スプロケット１４の上方で操作室８の天井から吊下されたチェーン収納部１５に整然と収納することができるので、チェーン３の点検や修理を容易に行うことができ、さらに、駆動スプロケット１４の下方にチェーン収納用のスペースを設ける必要がなく、設置条件が制限されることはない。また、操作台１２に設けられるチェーン３の挿通口１２ａを最小限の大きさ（チェーン１本が挿通できる大きさ）に設定でき、操作台１２の強度低下を防ぐことができる。さらには、チェーン３に設けた掛止ピン２５を、チェーン３の左右端からそれぞれその先端部が互いに接近するように突設させているので、この掛止ピン２５が障害物に干渉する虞もなく、駆動スプロケット１４を収納する各被駆動部６のハウジング等を小型化でき、装置全体をコンパクトにできる。
【図面の簡単な説明】
【００２２】
【図１】図１は、本発明の実施の形態に係る水門用開閉装置の正面図である。
【図２】図２は、本発明の実施の形態に係る水門用開閉装置の側面図である。
【図３】図３（ａ）〜（ｄ）は、図２のＡ矢視図〜Ｄ矢視図である。
【図４】図４は、本発明の実施の形態に係る水門用開閉装置の構成であるチェーン収納部の他の形態を示した図である。
【符号の説明】
【００２３】
１          水門用開閉装置
２          扉体
３          チェーン
４          駆動装置
１４        駆動スプロケット
１５        チェーン収納部
１７        水平板部（掛止片）
１８        Ｌ字状掛止部材
２５        掛止ピン
【図１】
2005188058.tif 000003
【図２】
2005188058.tif 000004
【図３】
2005188058.tif 000005
【図４】
2005188058.tif 000006